(57)【要約】【課題】遊技店において、予め登録された会員に対して、貯玉サービスを提供する場合に、いかにして貯玉を有価価値と同様に扱うかを課題とする。【解決手段】貯玉移行元の会員により会員カード処理機７０に携帯電話機８０をかざし操作され、移行貯玉数を入力された後に、移行先の会員により会員カード処理機７０に携帯電話機８０をかざし操作されると、会員管理テーブル１４ａにて管理する貯玉移行元の会員の貯玉を移行先会員の貯玉口座へ移行する。【選択図】        図３
2008302143.tif 000002
【特許請求の範囲】
【請求項１】
遊技店に登録された会員に付与された会員識別情報に対応付けて該会員の貯遊技媒体数を管理する貯遊技媒体管理装置であって、
前記会員識別情報ごとに該会員の貯遊技媒体数を記憶する管理テーブルと、
前記会員間での貯遊技媒体数の移行を要求する貯遊技媒体数移行要求に応答して、前記管理テーブルで管理する各会員識別情報に対応する貯遊技媒体数を加減処理して、前記会員間に跨る貯遊技媒体移行処理を行う貯遊技媒体移行手段と
を備えたことを特徴とする貯遊技媒体管理装置。
【請求項２】
前記貯遊技媒体移行手段は、貯遊技媒体移行元を示す第１の会員識別情報、貯遊技媒体移行先を示す第２の会員識別情報及び移行対象となる貯遊技媒体数を含む貯遊技媒体移行依頼を受け付けた場合に、前記管理テーブル上の前記第１の会員識別情報に対応する貯遊技媒体数から前記移行対象となる貯遊技媒体数を減算処理しつつ、前記管理テーブル上の前記第２の会員識別情報に対応する貯遊技媒体数に前記移行対象となる貯遊技媒体数を加算処理することを特徴とする請求項１に記載の貯遊技媒体管理装置。
【請求項３】
遊技店に登録された会員に付与された会員識別情報に対応付けて該会員の貯遊技媒体数を管理する管理装置と、前記管理装置に対して遊技媒体数の預入要求又は引出要求を行う前記遊技店内に配設された店舗内機器とを有する貯遊技媒体管理システムであって、
前記店舗内機器は、
貯遊技媒体移行元を示す第１の会員識別情報、貯遊技媒体移行先を示す第２の会員識別情報及び移行対象となる貯遊技媒体数を受け付ける受付手段と、前記受付手段により受け付けた第１の会員識別情報、貯遊技媒体移行先を示す第２の会員識別情報及び移行対象となる貯遊技媒体数を含む貯遊技媒体移行依頼を前記管理装置に対して行う貯遊技媒体移行依頼手段とを備え、
前記管理装置は、
前記会員識別情報ごとに該会員の貯遊技媒体数を記憶する管理テーブルと、
前記店舗内機器から前記貯遊技媒体移行依頼を受け付けた場合に、前記管理テーブル上の前記第１の会員識別情報に対応する貯遊技媒体数から前記移行対象となる貯遊技媒体数を減算処理しつつ、前記管理テーブル上の前記第２の会員識別情報に対応する貯遊技媒体数に前記移行対象となる貯遊技媒体数を加算処理して、前記会員間に跨る貯遊技媒体移行処理を行う貯遊技媒体移行手段とを備えた
ことを特徴とする貯遊技媒体管理システム。
【請求項４】
前記受付手段は、前記会員が所有する携帯端末をかざすかざし部と、該かざし部にかざし操作された携帯端末との間で非接触によるデータ通信を行って該携帯端末の識別情報を読み取る識別情報読取手段と、移行対象となる貯遊技媒体数を入力する入力手段とを備え、
前記貯遊技媒体移行依頼手段は、前記識別情報読取手段により読み取られた貯遊技媒体移行元の携帯端末の識別情報からなる前記第１の会員識別情報並びに貯遊技媒体移行先の携帯端末の識別情報からなる前記第２の会員識別情報と、前記入力手段により入力された貯遊技媒体数とを含む貯遊技媒体移行依頼を前記管理装置に対して行うことを特徴とする請求項３に記載の貯遊技媒体管理システム。
【請求項５】
前記携帯端末の識別情報は、前記携帯端末に内蔵されたＩＣチップに記憶された該ＩＣチップを一意に特定するＩＤｍであることを特徴とする請求項４に記載の貯遊技媒体管理システム。
【請求項６】
前記貯遊技媒体移行依頼手段は、前記識別情報読取手段によって前記貯遊技媒体移行元
の携帯端末の識別情報と、前記貯遊技媒体移行先の携帯端末の識別情報とを前記識別情報読取手段により所定の期間内にそれぞれ別個に読み取られた場合に、貯遊技媒体移行依頼を前記管理装置に対して行うことを特徴とする請求項４又は５に記載の貯遊技媒体管理システム。
【請求項７】
前記携帯端末は、他の携帯端末との間で相互通信を行う相互通信手段と、前記相互通信手段によって他の携帯端末と通信可能な状態で、当該携帯端末から当該他の携帯端末への貯遊技媒体移行先を示す会員識別情報及び移行対象となる貯遊技媒体数を含む貯遊技媒体移行依頼を受け付けた場合に、当該携帯端末の識別情報、当該貯遊技媒体移行先を示す会員識別情報及び移行対象となる貯遊技媒体数を含む加算指示データ及び減算指示データを生成する指示データ生成手段と、前記指示データ生成手段により生成された加算指示データを当該他の携帯端末へ送信して記憶させる加算指示データ送信手段と、前記店舗内機器に当該携帯端末又は当該他の携帯端末のいずれか一方がかざし操作された場合に、前記指示データ生成手段により生成された加算指示データ又は減算指示データを前記店舗内機器に対して送信する指示データ送信手段とを備え、
前記貯遊技媒体移行依頼手段は、
前記携帯端末から前記加算指示データ又は前記減算指示データを受信した場合に、該加算指示データ又は該減算指示データを含む貯遊技媒体移行依頼を前記管理装置に通知し、
前記貯遊技媒体移行手段は、
前記店舗内機器から前記加算指示データ又は前記減算指示データを含む貯遊技媒体移行依頼を受け付けた場合に、該加算指示データ又は該減算指示データに含まれる当該携帯端末の識別情報を貯遊技媒体移行元の識別情報とし、該加算指示データ又は該減算指示データに含まれる当該貯遊技媒体移行先を示す会員識別情報を貯遊技媒体移行先の識別情報とし、該加算指示データ又は該減算指示データに含まれる貯遊技媒体数を移行対象となる貯遊技媒体数として前記管理テーブルを更新し、前記会員間に跨る貯遊技媒体移行処理を行う
ことを特徴とする請求項４、５又は６に記載の貯遊技媒体管理システム。
【請求項８】
前記携帯端末は、前記加算指示データを暗号化する加算指示データ暗号化手段をさらに備え、前記管理装置は、前記加算指示データ暗号化手段により暗号化された加算指示データを復号化する加算指示データ復号化手段をさらに備えたことを特徴とする請求項７に記載の貯遊技媒体管理システム。
【発明の詳細な説明】
【技術分野】
【０００１】
本発明は、遊技店に登録された会員に付与された会員識別情報に対応付けて該会員の貯遊技媒体数を管理する貯遊技媒体管理装置及び貯遊技媒体管理システムに関し、特に、遊技店に会員登録された会員に対して貯遊技媒体サービスを行う場合に、貯遊技媒体を現金等の他の有価価値と同様に取り扱い、もって会員に対して利便性の高い貯遊技媒体サービスを行うことができる貯遊技媒体管理装置及び貯遊技媒体管理システムに関する。
【背景技術】
【０００２】
従来、パチンコ店等の遊技店では、遊技店に会員登録した会員に対して会員カードを発行するとともに、各会員に対して会員カードを用いた貯玉サービスを提供する貯玉管理システムが導入されることが多い。例えば、特許文献１には、会員により獲得された玉数を貯玉数として会員カードＩＤに対応付けてターミナルコントローラで管理しておき、この貯玉数を遊技台で再プレイに利用したり景品交換に利用する技術が開示されている。
【０００３】
このように、従来の貯玉管理システムでは、各会員に付与した会員カードを利用した貯玉サービスを提供してきたわけであるが、昨今の携帯電話機の普及に伴って、会員カードの代わりにこの携帯電話機を利用する試みがなされている。この場合には、会員が携帯電話機を計数機等にかざし操作すると、管理装置では、この携帯電話機の識別情報に対応付けて計数結果である玉数を貯玉として記憶し、会員が携帯電話機を台間機等にかざすとともに所定の再プレイ操作を行うと、預け入れた玉の再プレイを行うことが可能となる。
【０００４】
【特許文献１】特開２００３−２１０８１８号公報
【発明の開示】
【発明が解決しようとする課題】
【０００５】
しかしながら、上記貯玉管理システムでは、各会員ごとにそれぞれ異なる貯玉口座を設け、会員一人一人に対して個別的に貯玉サービスを提供することを前提としたものであり、会員である遊技客にとってやや利便性の悪いものとなっている。
【０００６】
この点を具体的に説明すると、上記貯玉は、一般景品のみならず特殊景品に交換可能な有価価値であるため、本来は、現金等の他の有価価値と同様の性質を持つものであるが、かかる現金が会員相互間で自由に貸し借りできるものであるにも係わらず、この貯玉は会員相互間で貸し借りすることができない。
【０００７】
このため、ある会員から他の会員に貯玉を受け渡す場合には、この貯玉を再プレイ操作で一旦玉に変換し、この玉自体を受け渡す必要が生ずるが、物理的な玉の受け渡しを行ったのでは余分な手間や会員の運搬負担が要する結果となる。
【０００８】
また、かかる貯玉を一旦特殊景品に交換して現金化し、この現金を会員間で受け渡すことも考えられるが、この場合にも、会員が貯玉を再プレイ操作して現物の玉として借り受ける作業や、この現物の玉を計数機に投出して計数させる作業や、計数結果をカウンターに持参して特殊景品に交換させる作業や、この特殊景品を景品交換所に持ち込んで現金に変えてもらう作業が必要となり、会員の作業負担は大きい。特に、この遊技店が玉の貸し単価よりも買い単価を低く設定する（等価交換でない）ような場合には、会員が一旦少ない現金に現金化して他の会員にこの現金を受け渡し、当該他の会員がこの現金を用いて玉を借り受けるという事態が生じ、会員にとって不利となる。
【０００９】
本来、上記貯玉は現金と同様の有価価値であるため、現金と同様に会員間で受け渡すことができるべきであり、かかる会員のニーズに効率良く対応する貯玉管理システムをいかに実現するかが大きな課題となっている。なお、かかる課題は貯玉管理システムに限ったものではなく、貯メダル管理システムを含めた各種貯遊技媒体システムに共通して発生する課題である。
【００１０】
本発明は、上記課題を解決するためになされたものであり、遊技店に会員登録された会員に対して貯遊技媒体サービスを行う場合に、貯遊技媒体を現金等の他の有価価値と同様に取り扱い、もって会員に対して利便性の高い貯遊技媒体サービスを行うことができる貯遊技媒体管理装置及び貯遊技媒体管理システムを提供すること目的とする。
【課題を解決するための手段】
【００１１】
上述した課題を解決し、目的を達成するために、本発明は、遊技店に登録された会員に付与された会員識別情報に対応付けて該会員の貯遊技媒体数を管理する貯遊技媒体管理装置であって、前記会員識別情報ごとに該会員の貯遊技媒体数を記憶する管理テーブルと、前記会員間での貯遊技媒体数の移行を要求する貯遊技媒体数移行要求に応答して、前記管理テーブルで管理する各会員識別情報に対応する貯遊技媒体数を加減処理して、前記会員間に跨る貯遊技媒体移行処理を行う貯遊技媒体移行手段とを備えたことを特徴とする。
【００１２】
また、本発明は、前記貯遊技媒体移行手段は、貯遊技媒体移行元を示す第１の会員識別情報、貯遊技媒体移行先を示す第２の会員識別情報及び移行対象となる貯遊技媒体数を含む貯遊技媒体移行依頼を受け付けた場合に、前記管理テーブル上の前記第１の会員識別情報に対応する貯遊技媒体数から前記移行対象となる貯遊技媒体数を減算処理しつつ、前記管理テーブル上の前記第２の会員識別情報に対応する貯遊技媒体数に前記移行対象となる貯遊技媒体数を加算処理することを特徴とする。
【００１３】
また、本発明は、遊技店に登録された会員に付与された会員識別情報に対応付けて該会員の貯遊技媒体数を管理する管理装置と、前記管理装置に対して遊技媒体数の預入要求又は引出要求を行う前記遊技店内に配設された店舗内機器とを有する貯遊技媒体管理システムであって、前記店舗内機器は、貯遊技媒体移行元を示す第１の会員識別情報、貯遊技媒体移行先を示す第２の会員識別情報及び移行対象となる貯遊技媒体数を受け付ける受付手段と、前記受付手段により受け付けた第１の会員識別情報、貯遊技媒体移行先を示す第２の会員識別情報及び移行対象となる貯遊技媒体数を含む貯遊技媒体移行依頼を前記管理装置に対して行う貯遊技媒体移行依頼手段とを備え、前記管理装置は、前記会員識別情報ごとに該会員の貯遊技媒体数を記憶する管理テーブルと、前記店舗内機器から前記貯遊技媒体移行依頼を受け付けた場合に、前記管理テーブル上の前記第１の会員識別情報に対応する貯遊技媒体数から前記移行対象となる貯遊技媒体数を減算処理しつつ、前記管理テーブル上の前記第２の会員識別情報に対応する貯遊技媒体数に前記移行対象となる貯遊技媒体数を加算処理して、前記会員間に跨る貯遊技媒体移行処理を行う貯遊技媒体移行手段とを備えたことを特徴とする。
【００１４】
また、本発明は、前記受付手段は、前記会員が所有する携帯端末をかざすかざし部と、該かざし部にかざし操作された携帯端末との間で非接触によるデータ通信を行って該携帯端末の識別情報を読み取る識別情報読取手段と、移行対象となる貯遊技媒体数を入力する入力手段とを備え、前記貯遊技媒体移行依頼手段は、前記識別情報読取手段により読み取られた貯遊技媒体移行元の携帯端末の識別情報からなる前記第１の会員識別情報並びに貯遊技媒体移行先の携帯端末の識別情報からなる前記第２の会員識別情報と、前記入力手段により入力された貯遊技媒体数とを含む貯遊技媒体移行依頼を前記管理装置に対して行うことを特徴とする。
【００１５】
また、本発明は、前記携帯端末の識別情報は、前記携帯端末に内蔵されたＩＣチップに記憶された該ＩＣチップを一意に特定するＩＤｍであることを特徴とする。
【００１６】
また、本発明は、前記貯遊技媒体移行依頼手段は、前記識別情報読取手段によって前記貯遊技媒体移行元の携帯端末の識別情報と、前記貯遊技媒体移行先の携帯端末の識別情報とを前記識別情報読取手段により所定の期間内にそれぞれ別個に読み取られた場合に、貯遊技媒体移行依頼を前記管理装置に対して行うことを特徴とする。
【００１７】
また、本発明は、前記携帯端末は、他の携帯端末との間で相互通信を行う相互通信手段と、前記相互通信手段によって他の携帯端末と通信可能な状態で、当該携帯端末から当該他の携帯端末への貯遊技媒体移行先を示す会員識別情報及び移行対象となる貯遊技媒体数を含む貯遊技媒体移行依頼を受け付けた場合に、当該携帯端末の識別情報、当該貯遊技媒体移行先を示す会員識別情報及び移行対象となる貯遊技媒体数を含む加算指示データ及び減算指示データを生成する指示データ生成手段と、前記指示データ生成手段により生成された加算指示データを当該他の携帯端末へ送信して記憶させる加算指示データ送信手段と、前記店舗内機器に当該携帯端末又は当該他の携帯端末のいずれか一方がかざし操作された場合に、前記指示データ生成手段により生成された加算指示データ又は減算指示データを前記店舗内機器に対して送信する指示データ送信手段とを備え、前記貯遊技媒体移行依頼手段は、前記携帯端末から前記加算指示データ又は前記減算指示データを受信した場合に、該加算指示データ又は該減算指示データを含む貯遊技媒体移行依頼を前記管理装置に通知し、前記貯遊技媒体移行手段は、前記店舗内機器から前記加算指示データ又は前記減算指示データを含む貯遊技媒体移行依頼を受け付けた場合に、該加算指示データ又は該減算指示データに含まれる当該携帯端末の識別情報を貯遊技媒体移行元の識別情報とし、該加算指示データ又は該減算指示データに含まれる当該貯遊技媒体移行先を示す会員識別情報を貯遊技媒体移行先の識別情報とし、該加算指示データ又は該減算指示データに含まれる貯遊技媒体数を移行対象となる貯遊技媒体数として前記管理テーブルを更新し、前記会員間に跨る貯遊技媒体移行処理を行うことを特徴とする。
【００１８】
また、本発明は、前記携帯端末は、前記加算指示データを暗号化する加算指示データ暗号化手段をさらに備え、前記管理装置は、前記加算指示データ暗号化手段により暗号化された加算指示データを復号化する加算指示データ復号化手段をさらに備えたことを特徴とする。
【発明の効果】
【００１９】
本発明によれば、会員識別情報ごとに会員の貯遊技媒体数を遊技店内の管理装置の管理テーブルに記憶し、会員間での貯遊技媒体数の移行を要求する貯遊技媒体数移行要求に応答して、該管理テーブルで管理する各会員識別情報に対応する貯遊技媒体数を加減処理して、会員間に跨る貯遊技媒体移行処理を行うように構成したので、貯遊技媒体を現金等の他の有価価値と同様に取り扱い、もって会員に対して利便性の高い貯遊技媒体サービスを行うことができる。
【００２０】
また、本発明によれば、貯遊技媒体移行元を示す第１の会員識別情報、貯遊技媒体移行先を示す第２の会員識別情報及び移行対象となる貯遊技媒体数を含む貯遊技媒体移行依頼を受け付けた場合に、管理装置の管理テーブル上の該第１の会員識別情報に対応する貯遊技媒体数から該移行対象となる貯遊技媒体数を減算処理しつつ、該管理テーブル上の該第２の会員識別情報に対応する貯遊技媒体数に該移行対象となる貯遊技媒体数を加算処理するように構成したので、管理装置に対して、貯遊技媒体移行元の会員の会員識別情報、貯遊技媒体移行先の会員の会員識別情報及び移行対象となる貯遊技媒体数を指定すれば、会員間に跨る貯遊技媒体移行処理を行うことができる。
【００２１】
また、本発明によれば、店舗内機器が貯遊技媒体移行元を示す第１の会員識別情報、貯遊技媒体移行先を示す第２の会員識別情報及び移行対象となる貯遊技媒体数を受け付け、受け付けた第１の会員識別情報、貯遊技媒体移行先を示す第２の会員識別情報及び移行対象となる貯遊技媒体数を含む貯遊技媒体移行依頼を遊技店内の管理装置に対して行い、該貯遊技媒体移行依頼を受け付けた管理装置が会員間に跨る貯遊技媒体移行処理を行うように構成したので、店舗内機器に貯遊技媒体移行操作を行うだけで会員間に跨る貯遊技媒体移行処理を行うことができる。
【００２２】
また、本発明によれば、店舗内機器にかざし操作された携帯端末との間で非接触によるデータ通信を行って該携帯端末の識別情報を読み取り、かつ、移行対象となる貯遊技媒体数の入力を受け付け、読み取られた貯遊技媒体移行元の携帯端末の識別情報からなる第１の会員識別情報、貯遊技媒体移行先の携帯端末の識別情報からなる第２の会員識別情報及び店舗内機器に入力された貯遊技媒体数とを含む貯遊技媒体移行依頼を前記管理装置に対して行うように構成したので、会員カードの代わりに携帯端末を利用して貯遊技媒体サービスを行う遊技店においても会員間に跨る貯遊技媒体移行処理を行うことができる。
【００２３】
また、本発明によれば、携帯端末の識別情報として該携帯端末に内蔵されたＩＣチップに記憶された該ＩＣチップを一意に特定するＩＤｍを用いるように構成したので、携帯端末のＩＤｍを用いて会員管理を行う遊技店においても会員間に跨る貯遊技媒体移行処理を行うことができる。
【００２４】
また、本発明によれば、店舗内機器のかざし部により貯遊技媒体移行元の携帯端末の識別情報と、貯遊技媒体移行先の携帯端末の識別情報とを所定の期間内にそれぞれ別個に読み取られた場合に、貯遊技媒体移行依頼を管理装置に対して行うように構成したので、会員が店舗内機器に携帯端末をかざし操作し、移行対象となる貯玉数を入力するだけで会員間に跨る貯遊技媒体移行処理を行うことができる。
【００２５】
また、本発明によれば、携帯端末が、他の携帯端末との間で相互通信を行って、他の携帯端末と通信可能な状態で該携帯端末から該他の携帯端末への貯遊技媒体移行先を示す会員識別情報及び移行対象となる貯遊技媒体数を含む貯遊技媒体移行依頼を受け付けた場合に、該携帯端末の識別情報、該貯遊技媒体移行先を示す会員識別情報及び移行対象となる貯遊技媒体数を含む加算指示データ及び減算指示データを生成し、生成された加算指示データを該他の携帯端末へ送信し、会員により店舗内機器に該携帯端末又は該他の携帯端末のいずれか一方がかざし操作された場合に、生成された加算指示データ又は減算指示データを該店舗内機器に対して送信し、該加算指示データ又は該減算指示データを受信した店舗内機器が、該加算指示データ又は該減算指示データを含む貯遊技媒体移行依頼を該管理装置に通知し、該貯遊技媒体移行依頼を受信した該管理装置が、該加算指示データ又は該減算指示データに含まれる該携帯端末の識別情報を貯遊技媒体移行元の識別情報とし、該加算指示データ又は該減算指示データに含まれる該貯遊技媒体移行先を示す会員識別情報を貯遊技媒体移行先の識別情報とし、該加算指示データ又は該減算指示データに含まれる貯遊技媒体数を移行対象となる貯遊技媒体数として、管理テーブルを更新するように構成したので、貯玉移行元の会員又は貯玉移行先の会員のいずれか一方が遊技店にて携帯端末をかざし操作すれば、遊技店以外の場所においても会員間で貯玉移行操作を行うことができる。
【００２６】
また、本発明によれば、携帯端末が加算指示データを暗号化し、管理装置が携帯端末により暗号化された加算指示データを復号化するように構成したので、加算指示データが記憶される携帯端末を保持する会員がＩＤｍを視認できなくなり、該会員による加算指示データの不正生成を防止することができる。
【発明を実施するための最良の形態】
【００２７】
以下に添付図面を参照して、本発明に係る貯遊技媒体管理装置及び貯遊技媒体管理システムの好適な実施例を詳細に説明する。なお、以下に示す実施例１及び２では、携帯電話機を会員特定媒体として利用するとともに、遊技媒体としてパチンコ玉を対象とした場合を示すこととする。
【実施例１】
【００２８】
まず、本実施例１に係る貯玉管理システムの概念について説明する。図１は、本実施例１に係る貯玉管理システムの概念を説明するための説明図である。同図に示すように、この貯玉管理システムは、遊技店にて予め登録処理された会員の会員情報及び該会員により預け入れられた貯玉数を管理する会員管理用ターミナルコントローラ（以下、「会員管理Ｔ／Ｃ」と言う）１０と、貯玉の際に利用される会員カード処理機７０とが通信回線を介して相互に接続される。
【００２９】
ここで、本実施例１に係る貯玉管理システムでは、会員間での貯玉の譲渡を可能にしており、ある会員Ａが会員カード処理機７０に自らの携帯電話機ａをかざし操作して貯玉残高を確認し、所定の貯玉数移行操作を行った後に、引き続き他の会員Ｂがこの会員カード処理機７０に自らの携帯電話機ｂをかざし操作すると、会員Ａの貯玉口座内の任意の貯玉数を他の会員Ｂの貯玉口座に移行することができる。
【００３０】
この点を図１を用いて具体的に説明すると、会員カード処理機７０にはかざし部７８が設けられており、会員Ａがこのかざし部７８に携帯電話機ａをかざし操作すると（ステップＳ１０１）、この会員カード処理機７０から会員管理Ｔ／Ｃ１０に対して貯玉残高の問い合わせが行われ、会員カード処理機７０の表示部７３に貯玉残高が表示される。
【００３１】
その後、会員Ａが会員カード処理機７０の入力部７４を用いて暗証番号、移行指示操作及び移行貯玉数を入力し（ステップＳ１０２）、引き続き会員Ｂがかざし部７８に携帯電話機ｂをかざし操作すると（ステップＳ１０３）、会員カード処理機７０は、会員管理Ｔ／Ｃ１０に対して、会員Ａの貯玉口座から会員Ｂの貯玉口座に対して指定された貯玉数を移行するよう貯玉移行依頼を行う（ステップＳ１０４）。なお、図１の例では、移行貯玉数として「１０００玉」を入力した場合を示している。
【００３２】
この貯玉移行依頼を受け付けた会員管理Ｔ／Ｃ１０は、暗証番号を照合した上で、貯玉移行依頼に含まれる貯玉数を会員Ａの貯玉口座から減算するとともに、会員Ｂの貯玉口座に該貯玉数を加算し（ステップＳ１０５）、会員カード処理機７０に移行処理結果を送信する（ステップＳ１０６）。これにより、会員Ａの貯玉口座の貯玉残高は５０００玉から４０００玉に減少し、会員Ｂの貯玉口座の貯玉残高は３０００玉から４０００玉に増加することになる。
【００３３】
その後、かかる移行処理結果を受信した会員カード処理機７０は、表示部７３上に「１０００玉の貯玉移行処理完了」等の貯玉移行結果を表示する（ステップＳ１０７）。これにより、会員Ａ及びＢは、貯玉移行処理の成否結果を確認することができる。
【００３４】
このように、本実施例１では、貯玉移行元の会員Ａの携帯電話機ａと貯玉移行先の会員Ｂの携帯電話機ｂとを遊技店に設置される会員カード処理機７０のかざし部７８に順次かざし操作することにより、貯玉口座間の貯玉移行を可能としている。
【００３５】
次に、本実施例１に係る貯玉管理システムのシステム構成について説明する。図２は、本実施例１に係る貯玉管理システムのシステム構成を示す構成図である。同図に示すように、遊技店内には、会員管理Ｔ／Ｃ１０と、島コントローラ２０と、台間ユニット３０と
、パチンコ機４０と、計数機５０と、景品管理装置６０と、景品払出機６５と、会員カード処理機７０とが設けられている。また、会員管理Ｔ／Ｃ１０には、景品管理装置６０、会員カード処理機７０及び島コントローラ２０が接続されており、島コントローラ２０には、各島に設置された複数のパチンコ機４０にそれぞれに併設された台間ユニット３０が接続されており、会員カード処理機７０には、パチンコ玉数を計数する計数機５０が接続されている。
【００３６】
パチンコ機４０は、パチンコ玉を遊技領域に発射して遊技客がパチンコ遊技を行う遊技機であり、台間ユニット３０は、各パチンコ機４０にそれぞれ併設して設けられた玉貸し機である。ここで、この台間ユニット３０は、会員管理Ｔ／Ｃ１０で管理される貯玉を再プレイする再プレイ端末の役割についても担っており、会員が台間ユニット３０のかざし部７８に自らの携帯電話機８０をかざし操作して所定の再プレイ操作を行うと、会員管理Ｔ／Ｃ１０により管理された貯玉残高から再プレイ分の玉数が減算処理されるとともに、この台間ユニット３０からパチンコ機４０に対して玉投出指示が行われる。
【００３７】
計数機５０は、所定の投入口に投入されたパチンコ玉数を計数する計数機であり、会員カード処理機７０と接続されている。会員が携帯電話機８０を会員カード処理機７０にかざし操作を行ったうえで計数機５０による計数操作を行うと、この計数値を貯玉することができ、該かざし操作を行わずに計数機５０による計数操作を行うと、計数値がバーコード印字された計数レシートが発行される。
【００３８】
景品管理装置６０は、遊技店内に設けられる景品交換カウンタに配設された景品交換用の端末装置である。具体的には、景品交換カウンタ内の係員が、計数機５０から排出された獲得玉数がバーコード印字された計数レシートを遊技客から受け取ると、この計数レシートから獲得玉数をバーコードリーダで読み取るとともに、この獲得玉数分の一般景品を係員による手作業で遊技客に受け渡す。また、遊技客が特殊景品への交換を希望する場合には、係員はこの景品管理装置６０に設けられた特殊景品交換ボタンを押下し、景品払出機６５に獲得玉数分の特殊景品の払い出しを指示する。
【００３９】
また、この景品管理装置６０では、計数レシートから読み取った獲得玉数の一部又は全部を会員の貯玉残高に預け入れることもできる。例えば、係員が貯玉を希望する会員から計数レシートを受け取ったならば、該会員に対して携帯電話機８０をかざすよう指示して、該携帯電話機８０からＩＣチップ８１に記憶されるＩＤｍを読み取った後に、貯玉操作を行って会員管理Ｔ／Ｃ１０に貯玉依頼を行う。なお、このＩＤｍは、ＩＣチップ８１を一意に特定する識別情報であり、例えば、ＩＣチップ８１の製造番号である。
【００４０】
会員カード処理機７０は、会員による貯玉を行う際に利用される会員用端末装置であり、携帯電話機８０から会員特定情報を読み取るリーダライタ７５を備えている。この会員カード処理機７０は、計数結果がバーコード印字された計数レシートを発行する印字機能、並びに、計数機５０により計数された計数結果の一部または全部を会員管理Ｔ／Ｃ１０にて記憶管理される貯玉残高に貯玉加算させる計数貯玉機能を有する。ここでは、この会員特定情報として携帯電話機８０のＩＤｍを用いることとしている。
【００４１】
会員管理Ｔ／Ｃ１０は、後述する会員管理テーブル１４ａを用いて遊技店に登録された会員の統括管理を行う管理装置である。この会員管理テーブル１４ａは、会員ＩＤ、ＩＤｍ、貯玉数、暗証番号及び属性情報を対応付けて記憶している。なお、本実施例１では、ＩＤｍを会員ＩＤと一対一に対応付けている。
【００４２】
この会員管理Ｔ／Ｃ１０は、会員カード処理機７０又は景品管理装置６０から貯玉加算依頼を受け付けた際に該当する貯玉口座内の貯玉数を加算する加算処理機能と、台間ユニ
ット３０又は景品管理装置６０から貯玉減算依頼を受け付けた際に該当する貯玉口座内の貯玉数を減算する減算処理機能とを有する。
【００４３】
次に、図２に示した会員管理Ｔ／Ｃ１０及び会員カード処理機７０の構成について説明する。図３は、図２に示した会員管理Ｔ／Ｃ１０及び会員カード処理機７０の構成を示す機能ブロック図である。同図に示すように、会員カード処理機７０は、会員が所持する携帯電話機８０を用いた貯玉の預け入れを行う際に用いられるカード処理機であり、Ｉ／Ｆ部７１と、カードリーダ７２と、表示部７３と、入力部７４と、リーダライタ７５と、制御部７６とを有する。
【００４４】
Ｉ／Ｆ部７１は、会員管理Ｔ／Ｃ１０との間でデータ通信を行うためのインターフェースであり、カードリーダ７２は、会員カードに記憶された会員ＩＤを読み取るための装置である。なお、本実施例１では、会員特定媒体として携帯電話機８０を用いることとしたが、会員カードを用いる場合には、このカードリーダ７２が使用される。
【００４５】
表示部７３は、液晶パネル等からなる表示デバイスであり、例えば、会員が所定の操作を行うと、後述する移行対象となる貯玉数を入力する画面（以下、「移行貯玉数入力画面」と言う）を表示する。入力部７４は、数字及び文字等を入力するテンキー、メニュー等を選択する特殊キー等からなる入力デバイスである。この特殊キーを用いて移行貯玉数入力画面を選択することができ、該移行貯玉数入力画面上の移行貯玉数や（同画面には表示されない）暗証番号は上記テンキーを用いて入力される。
【００４６】
リーダライタ７５は、携帯電話機８０に内蔵されたＩＣチップ８１との間で非接触によるデータ通信を行う装置であり、この会員カード処理機７０の前面に設けられたかざし部７８に携帯電話機８０がかざし操作された際に、この携帯電話機８０内のＩＣチップ８１からＩＤｍを取得する処理等を行う。
【００４７】
制御部７６は、会員カード処理機７０の全体制御を行う制御部であり、カード処理部７６ａと、貯玉処理部７６ｂとを有する。実際には、これらの機能部に対応するプログラムを図示しないＲＯＭや不揮発性メモリに記憶しておき、これらのプログラムを図示しないＣＰＵにロードして実行し、カード処理部７６ａ及び貯玉処理部７６ｂにそれぞれ対応するプロセスを実行させることになる。
【００４８】
カード処理部７６ａは、カードリーダ７２に挿入された会員カードから会員特定情報の読取処理等を行う処理部である。なお、本実施例１では、会員特定媒体として携帯電話機を用いることとしたが、会員カードを用いる場合には、このカード処理部７６ａにより会員ＩＤ等を取得することになる。
【００４９】
貯玉処理部７６ｂは、貯玉に関する各種処理を行う処理部であり、かざし部７８に携帯電話機８０がかざし操作されると、会員管理Ｔ／Ｃ１０に対して貯玉数取得依頼を送信し、所定の貯玉加算操作がなされると、携帯電話機８０のＩＤｍを含む貯玉加算依頼を会員管理Ｔ／Ｃ１０に対して送信する。
【００５０】
この貯玉処理部７６ｂは、複数の会員の貯玉口座間の貯玉数の移行依頼を会員管理Ｔ／Ｃ１０に対して送信する貯玉移行依頼部７６ｃを有する。具体的には、この貯玉移行依頼部７６ｃは、貯玉移行元の会員Ａから所定の貯玉移行操作がなされた場合に、この会員Ａの携帯電話機ａのＩＤｍ、貯玉移行先の会員Ｂの携帯電話機ｂのＩＤｍ及び移行対象となる貯玉数を含む貯玉移行依頼を会員管理Ｔ／Ｃ１０に送信する。
【００５１】
次に、図２に示した会員管理Ｔ／Ｃ１０の構成について説明する。図３に示すように、
この会員管理Ｔ／Ｃ１０は、Ｉ／Ｆ部１１と、表示部１２と、入力部１３と、記憶部１４と、制御部１５とを有する。
【００５２】
Ｉ／Ｆ部１１は、会員カード処理機７０との間でデータ通信を行うためのインターフェースであり、表示部１２は、液晶パネルやディスプレイ等の表示デバイスであり、入力部１３は、キーボードやマウス等の入力デバイスである。
【００５３】
記憶部１４は、ハードディスク装置や不揮発性メモリ等の記憶デバイスであり、ここには一定の属性情報が登録された会員を管理する会員管理テーブル１４ａを記憶する。この会員管理テーブル１４ａは、図４に示すように、会員ＩＤごとにＩＤｍ、貯玉数、暗証番号及び属性情報が記憶されている。
【００５４】
制御部１５は、会員管理Ｔ／Ｃ１０を全体制御する制御部であり、会員登録処理部１５ａと、貯玉管理部１５ｂとを有する。実際には、これらの機能部に対応するプログラムを図示しないＲＯＭや不揮発性メモリに記憶しておき、これらのプログラムをＣＰＵにロードして実行し、会員登録処理部１５ａ及び貯玉管理部１５ｂにそれぞれ対応するプロセスを実行させることになる。
【００５５】
会員登録処理部１５ａは、図示しない会員登録受付端末から新規会員の会員登録依頼を受け付けた場合に、かかる新規会員の会員登録処理を行う処理部である。具体的には、新規会員の携帯電話機のＩＤｍを含む会員登録依頼を受け付けた場合には、同一のＩＤｍの二重登録を防ぐために会員管理テーブル１４ａのＩＤｍをサーチし、このＩＤｍが登録済みであるか否かを調べる。その結果、このＩＤｍが未登録である場合には新たな会員ＩＤを採番し、ＩＤｍ、暗証番号及び属性情報等を会員管理テーブル１４ａに新規登録する。
【００５６】
貯玉管理部１５ｂは、会員管理テーブル１４ａを用いて各会員の貯玉数、暗証番号及び属性情報を管理する管理部であり、貯玉移行処理部１５ｃを有する。この貯玉管理部１５ｂは、会員カード処理機７０からＩＤｍ及び暗証番号を含む暗証番号照合依頼を受け付けた場合には、会員管理テーブル１４ａから該ＩＤｍに対応する暗証番号を取得し、取得した暗証番号と受信した暗証番号との照合処理を行い、照合結果を貯玉処理部７６ｂに送信する。また、会員カード処理機７０からＩＤｍを含む貯玉数取得依頼を受け付けた場合には、会員管理テーブル１４ａから該ＩＤｍに対応する貯玉数を取得し、取得した貯玉数を貯玉処理部７６ｂに送信する。
【００５７】
貯玉移行処理部１５ｃは、本発明の特徴をなす処理部であり、会員カード処理機７０からの貯玉移行依頼に応答して、異なる会員の貯玉口座間の貯玉移行処理を行う処理部である。例えば、会員カード処理機７０から携帯電話機ａのＩＤｍ、移行対象となる貯玉数及び携帯電話機ｂのＩＤｍを含む貯玉移行依頼を受け付けたならば、携帯電話機ａのＩＤｍに対応する会員管理テーブル１４ａの貯玉数から移行対象となる貯玉数を減算するとともに、携帯電話機ｂのＩＤｍに対応する会員管理テーブル１４ａの貯玉数に貯玉数を加算する。
【００５８】
図４は、本実施例１による貯玉移行処理前の会員管理テーブル１４ａと貯玉移行処理後の会員管理テーブル１４ａの一例を示した説明図である。ここでは、会員ＩＤ「０００１」の貯玉口座から会員ＩＤ「０００２」の貯玉口座へ１０００玉の貯玉を移行処理した場合を示している。
【００５９】
同図に示すように、この会員管理テーブル１４ａには、会員ＩＤごとにＩＤｍ、貯玉数、暗証番号、属性情報（氏名、住所、電話番号）が登録されており、貯玉移行処理を行う前の時点では、会員ＩＤ「０００１」の貯玉数が「５０００玉」であり、会員ＩＤ「００
０２」の貯玉数が「３０００玉」とされている。
【００６０】
この状況下で、会員ＩＤ「０００１」の貯玉口座から会員ＩＤ「０００２」の貯玉口座へ１０００玉の貯玉移行処理がなされると、同図中に斜線を付したように、会員ＩＤ「０００１」の貯玉数が１０００玉減算されて４０００玉となり、会員ＩＤ「０００２」の貯玉数が１０００玉加算されて４０００玉となる。
【００６１】
次に、図２に示した会員管理Ｔ／Ｃ１０及び会員カード処理機７０による貯玉移行処理について説明する。図５は、本実施例１に係る貯玉移行処理に関する会員管理Ｔ／Ｃ１０及び会員カード処理機７０間の制御シーケンスを示す図である。
【００６２】
同図に示すように、会員Ａにより携帯電話機ａが会員カード処理機７０のかざし部７８にかざし操作されると（ステップＳ２０１肯定）、会員カード処理機７０は、リーダライタ７５を介して携帯電話機ａに内蔵されるＩＣチップ８１からＩＤｍを取得する（ステップＳ２０２）。その後、入力部７４を介して暗証番号の入力操作を受け付けると（ステップＳ２０３肯定）、携帯電話機ａのＩＤｍ及び入力された暗証番号を含む暗証番号照合依頼を会員管理Ｔ／Ｃ１０に送信する（ステップＳ２０４）。
【００６３】
この暗証番号照合依頼を受信した会員管理Ｔ／Ｃ１０は、該暗証番号照合依頼に含まれる暗証番号が正しいか否かを判定する（ステップＳ２０５）。具体的には、会員管理テーブル１４ａから暗証番号照合依頼に含まれる携帯電話機ａのＩＤｍに対応する暗証番号を取得し、取得した暗証番号と暗証番号照合依頼に含まれる暗証番号とを比較し、一致する場合には暗証番号が正しいと判定し、一致しない場合には暗証番号が誤っていると判定する。その後、暗証番号照合結果を会員カード処理機７０に送信する（ステップＳ２０６）。
【００６４】
かかる暗証番号照合結果を受信した会員カード処理機７０の貯玉処理部７６ｂは、暗証番号が誤りである場合には（ステップＳ２０７否定）、表示部７３にエラー内容を表示し（ステップＳ２０８）、再度、暗証番号の入力を受け付ける（ステップＳ２０３）。これに対して、暗証番号が正しい場合には（ステップＳ２０７肯定）、貯玉処理部７６ｂは、携帯電話機ａのＩＤｍを含む貯玉数取得依頼を会員管理Ｔ／Ｃ１０に送信する（ステップＳ２０９）。
【００６５】
この貯玉数取得依頼を受信した会員管理Ｔ／Ｃ１０の貯玉管理部１５ｂは、会員管理テーブル１４ａから貯玉数取得依頼に含まれる携帯電話機ａのＩＤｍに対応する貯玉数を取得し（ステップＳ２１０）、取得した貯玉残高数を会員カード処理機７０に送信する（ステップＳ２１１）。
【００６６】
この貯玉残高数を受信した会員カード処理機７０の貯玉処理部７６ｂは、入力部７４を介して貯玉移行メニューの選択操作を受け付けると（ステップＳ２１２肯定）、表示部７３上に移行対象となる貯玉数を入力する画面及び会員Ａの貯玉残高数を表示する（ステップＳ２１３）。これにより、会員Ａは、移行可能な貯玉数を確認して移行対象となる貯玉数を入力することができる。
【００６７】
そして、会員カード処理機７０の貯玉処理部７６ｂは、移行対象となる貯玉数の入力操作を受け付けると（ステップＳ２１４肯定）、移行対象となる貯玉数が会員Ａの貯玉残高数を超えないか判定する（ステップＳ２１５）。移行対象となる貯玉数が会員Ａの貯玉残高数を超える場合には（ステップＳ２１５否定）、表示部７３にエラー内容を表示し（ステップＳ２１６）、再度、表示部７３上に移行対象となる貯玉数を入力する画面を表示して移行貯玉数の入力を受け付ける（ステップＳ２１４）。これに対して、入力された移行
対象となる貯玉数が会員Ａの貯玉数を超えない場合には（ステップＳ２１５肯定）、会員Ｂによる携帯電話機ｂのかざし操作を受け付ける（ステップＳ２１７）。
【００６８】
そして、会員Ｂにより携帯電話機ｂがかざし操作されると（ステップＳ２１７肯定）、会員カード処理機７０は、リーダライタ７５を介して携帯電話機ｂに内蔵されるＩＣチップ８１からＩＤｍを取得する（ステップＳ２１８）。その後、貯玉移行依頼部７６ｃは、携帯電話機ａのＩＤｍ、移行貯玉数及び携帯電話機ｂのＩＤｍを含む貯玉移行依頼を会員管理Ｔ／Ｃ１０に送信する（ステップＳ２１９）。
【００６９】
この貯玉移行依頼を受け付けた会員管理Ｔ／Ｃ１０の貯玉移行処理部１５ｃは、携帯電話機ａのＩＤｍに対応する会員管理テーブル１４ａの貯玉数から移行対象となる貯玉数を減算するとともに、携帯電話機ｂのＩＤｍに対応する会員管理テーブル１４ａの貯玉数に移行対象となる貯玉数を加算する（ステップＳ２２０）。
【００７０】
上述してきたように、本実施例１では、会員Ａにより携帯電話機ａが会員カード処理機７０のかざし部７８にかざし操作され、貯玉移行メニューを選択されたならば、表示部７３上に移行貯玉数入力画面を表示し、該移行貯玉数入力画面に移行対象となる貯玉数の入力操作がされた後に、会員Ｂにより携帯電話機ｂがかざし操作されたならば、会員カード処理機７０は会員管理Ｔ／Ｃ１０に対して貯玉移行依頼を送信し、該貯玉移行依頼を受け付けた会員管理Ｔ／Ｃ１０は、携帯電話機ａのＩＤｍに対応する会員管理テーブル１４ａの貯玉数から移行対象となる貯玉数を減算するとともに、携帯電話機ｂのＩＤｍに対応する会員管理テーブル１４ａの貯玉数に移行対象となる貯玉数を加算するように構成したので、会員間で貯玉を授受することが可能となり、貯玉を有価価値と同様に扱うことができるようになる。
【００７１】
なお、上記実施例１では、貯玉移行元の会員Ａが携帯電話機ａをかざし操作して貯玉移行メニューを選択して移行貯玉数を入力し、その後、貯玉移行先の会員Ｂが携帯電話機ｂをかざし操作したならば貯玉移行処理を行う場合を示したが、本発明はこれに限定されるものではなく、例えば、貯玉移行先の会員Ｂが携帯電話機ｂをかざし操作して、次に貯玉移行メニューを選択して移行貯玉数を入力し、その後、貯玉移行元の会員Ａが携帯電話機ａをかざし操作をしたならば貯玉移行処理を行うように構成してもよい。すなわち、会員Ａのかざし操作、会員Ｂのかざし操作及び移行貯玉数の入力操作等は、上述した本実施例１の順序で操作されなくてもよい。
【００７２】
また、上記実施例１では、携帯電話機８０に内蔵されるＩＣチップ８１に記憶されるＩＤｍを用いて会員管理を行う場合について説明したが、本発明はこれに限定されるものではなく、様々な会員特定情報を用いて会員管理する場合にも同様に適用される。
【００７３】
また、上記実施例１では、会員が所持する携帯電話機がかざし操作されると貯玉移行処理を行う場合を示したが、本発明はこれに限定されるものではなく、会員が所持する会員カードがカードリーダ７２に挿入操作されると貯玉移行処理を行うように構成してもよい。例えば、会員Ａにより会員カードがカードリーダ７２に挿入操作され、さらに貯玉移行メニューを選択されたならば、表示部７３上に移行貯玉数入力画面を表示し、該移行貯玉数入力画面に移行貯玉数の入力操作がされた後に、会員Ｂにより会員カードがカードリーダ７２に挿入操作されたならば、貯玉移行処理を行うことになる。
【実施例２】
【００７４】
ところで、上記実施例１では、会員Ａ及びＢの両者が遊技店にいることを前提として、貯玉移行元の会員Ａの携帯電話機ａと貯玉移行先の会員Ｂの携帯電話機ｂとを遊技店に設置される会員カード処理機７０のかざし部７８に順次かざし操作することにより、貯玉口
座間の貯玉移行を行う場合を示したが、実際には、会員Ａ及びＢが共に遊技店にいるとは限らない。
【００７５】
そこで、本実施例２では、アクセスポイントを介さず直接データを授受するアドホックモード方式の通信（以下、「アドホック通信」と言う）により携帯電話機同士で一時的に貯玉移行を行い、遊技店にて会員Ａ又Ｂのいずれか一方による携帯電話機のかざし操作がされたならば、貯玉移行処理を行う場合を示すこととする。なお、この場合の貯玉管理システムのシステム構成は図２と同様のものとなる。
【００７６】
まず、本実施例２に係る貯玉管理システムの概念について説明する。図６は、本実施例２に係る貯玉管理システムの概念を説明するための説明図である。ここで、本実施例２に係る貯玉管理システムでは、会員間での貯玉の譲渡を可能にしており、ある会員Ａの携帯電話機ａ及び会員Ｂの携帯電話機ｂにより貯玉移行操作を行った後に、会員Ａ又はＢのいずれか一方が遊技店に設置される会員カード処理機７０に自らの携帯電話機ａ又はｂをかざし操作すると、会員Ａの貯玉口座内の任意の貯玉数を他の会員Ｂの貯玉口座に移行することができる。
【００７７】
この点を図６を用いて具体的に説明すると、会員Ａ及びＢがそれぞれの携帯電話機ａ及びｂを用いて、移行対象となる貯玉数等の入力をして（ステップＳ３０１）、会員Ｂが会員カード処理機７０のかざし部７８に携帯電話機ｂをかざし操作すると（ステップＳ３０２）、この会員カード処理機７０は、会員管理Ｔ／Ｃ１０に対して、会員Ａの貯玉口座から会員Ｂの貯玉口座に対して指定された貯玉数を移行するよう貯玉移行依頼を行う（ステップＳ３０３）。なお、図６の例では、移行貯玉数として「１０００玉」を入力した場合を示している。
【００７８】
この貯玉移行依頼を受け付けた会員管理Ｔ／Ｃ１０は、貯玉移行依頼に含まれる貯玉数を会員Ａの貯玉口座から減算するとともに、会員Ｂの貯玉口座に該貯玉数を加算し（ステップＳ３０４）、会員カード処理機７０に移行処理結果を送信する（ステップＳ３０５）。これにより、会員Ａの貯玉口座の貯玉残高は５０００玉から４０００玉に減少し、会員Ｂの貯玉口座の貯玉残高は３０００玉から４０００玉に増加することになる。
【００７９】
その後、かかる移行処理結果を受信した会員カード処理機７０は、表示部７３上に「１０００玉の貯玉移行処理完了」等の貯玉移行結果を表示する（ステップＳ３０６）。これにより、会員Ｂは、貯玉移行処理の成否結果を確認することができる。
【００８０】
このように、本実施例２では、貯玉移行元の会員Ａ及び貯玉移行先の会員Ｂがそれぞれの携帯電話機ａ及びｂを用いて所定の貯玉移行操作を行った後、会員Ａ又はＢのいずれか一方が会員カード処理機７０のかざし部７８に自らの携帯電話機ａ又はｂをかざし操作することにより、貯玉口座間の貯玉移行を可能としている。
【００８１】
次に、図６に示した携帯電話機ａ及びｂによる貯玉移行処理について説明する。図７は、図６に示した貯玉移行処理に関する携帯電話機間の制御シーケンスを示す図である。同図に示すように、貯玉移行元の会員Ａが携帯電話機ａにより貯玉移行操作を行う場合、携帯電話機ａは貯玉移行アプリが起動状態となっている必要があり（ステップＳ４０１肯定）、同様に貯玉移行先の会員Ｂの携帯電話機ｂも貯玉移行アプリが起動状態となっている必要ある（ステップＳ４０２肯定）。なお、ここで言う貯玉移行アプリとは、携帯電話機ａ及びｂ間で貯玉移行操作を行う際に使用されるアプリケーションであり、貯玉移行操作を行う会員Ａ及びＢは、予め携帯電話サービス等を利用して貯玉移行アプリをダウンロードする必要がある。
【００８２】
その後、会員Ａにより貯玉移行アプリ上で所定の操作がされると、携帯電話機ａは携帯電話機ｂに対して通信確立を要求し（ステップＳ４０３）、携帯電話機ｂがかかる通信確立要求に対して応答すると（ステップＳ４０４）、携帯電話機ａ及びｂは通信確立状態となる（ステップＳ４０５）。
【００８３】
その後、貯玉移行アプリにより携帯電話機ａの表示部上に移行貯玉数入力画面（図８参照）が表示され（ステップＳ４０６）、この移行貯玉数入力画面上で貯玉移行先の会員Ｂの会員ＩＤ及び移行対象となる貯玉数の入力操作がされると（ステップＳ４０７肯定）、携帯電話機ａは、加算指示データ及び減算指示データを生成する。
【００８４】
この加算指示データ及び減算指示データの生成について具体的に説明すると、まず、携帯電話機ａは、携帯電話機ａのＩＤｍを暗号化する（ステップＳ４０８）。そして、この暗号化されたＩＤｍ及び移行貯玉数入力画面にて入力された移行対象となる貯玉数等からなる加算指示データを生成するとともに（ステップＳ４０９）、移行貯玉数入力画面にて入力された会員Ｂの会員ＩＤ及び該貯玉数等からなる減算指示データを生成する（ステップＳ４１０）。
【００８５】
その後、携帯電話機ａは、加算指示データを携帯電話機ｂに送信し（ステップＳ４１１）、携帯電話機ａが有するＩＣチップ内の記憶部に減算指示データを記憶する（ステップＳ４１２）。かかる加算指示データを受信した携帯電話機ｂは、携帯電話機ｂが有するＩＣチップ内の記憶部に該加算指示データを記憶する（ステップＳ４１３）。なお、本実施例２では、加算指示データ及び減算指示データをＩＣチップ内の記憶部に記憶する場合を示したが、本発明はこれに限定されるものではなく、例えば、携帯電話機ａ又はｂが有するＩＣチップ内の記憶部以外の記憶部に記憶するように構成してもよい。
【００８６】
次に、図６に示した携帯電話機ａが表示制御する移行貯玉数入力画面の一例について説明する。図８は、図６に示した携帯電話機ａが表示制御する移行貯玉数入力画面の一例を示す図である。同図に示すように、この移行貯玉数入力画面５００は、貯玉移行先の会員の会員ＩＤを入力する入力枠５１０、移行対象となる貯玉数を入力する入力枠５２０が設けられており、会員Ａは、これらの入力枠５１０及び５２０に所望の事項を入力して確定ボタン５３０を指示操作する。
【００８７】
これにより、携帯電話機ａは、携帯電話機ａのＩＤｍ、入力枠５１０に入力された貯玉移行先の会員Ｂの会員ＩＤ及び入力枠５２０に入力された移行貯玉数等から構成される加算指示データ及び減算指示データを生成する。
【００８８】
次に、図６に示した携帯電話機ａにより生成される加算指示データのデータ構造について具体的に説明する。図９は、図６に示した携帯電話機ａにより生成される加算指示データの一例を示す図である。同図に示すように、この加算指示データ６００は、データ判別コード６１０と、移行貯玉数６２０と、移行元会員特定情報６３０と、移行先会員特定情報６４０と、指示データＩＤ６５０とから構成される。
【００８９】
データ判別コード６１０は、本データが加算指示データ６００であることを表すコードであり、加算指示データ６００及び減算指示データ７００を読取処理する会員管理Ｔ／Ｃ１０は、このデータ判別コード６１０により加算指示データ６００又は減算指示データ７００の別を判断する。なお、図９の例では、データ判別コード６１０が「１」の場合に加算指示データ６００を表す。
【００９０】
移行貯玉数６２０は、移行対象となる貯玉数を示すデータであり、具体的には、移行貯玉数入力画面５００の入力枠５２０に入力された貯玉数である。なお、図９の例では、移
行貯玉数として「１０００玉」を入力した場合を示している。
【００９１】
移行元会員特定情報６３０は、貯玉を譲り渡す会員Ａの会員特定情報を表すデータであり、本実施例２では、会員Ａが有する携帯電話機ａのＩＤｍとなる。なお、実際には、該ＩＤｍは携帯電話機ａにより暗号化される。これは、会員ＢにＩＤｍを視認できないようにすることで加算指示データを不正に生成できないようにするためである。
【００９２】
移行先会員特定情報６４０は、貯玉を譲り受ける会員の会員特定情報を表すデータであり、本実施例２では、会員Ａが移行貯玉数入力画面５００の入力枠５１０に入力した会員Ｂの会員ＩＤとなる。なお、図９の例では、会員Ｂの会員ＩＤを「０００２」とした場合を示している。
【００９３】
指示データＩＤ６５０は、貯玉移行操作ごとに採番されるユニークなＩＤ情報であり、該貯玉移行操作により生成される１組の加算指示データ６００及び減算指示データ７００の指示データＩＤ６５０及び指示データＩＤ７５０には同じＩＤ情報が設定される。会員管理Ｔ／Ｃ１０は、この指示データＩＤ６５０を用いて貯玉移行処理の重複処理を防止する。なお、図９の例では、指示データＩＤ６５０を「ＡＢＣ」とした場合を示している。
【００９４】
なお、本実施例２では、加算指示データ６００に移行先会員特定情報６４０を有する場合を示したが、本発明はこれに限定されるものではなく、加算指示データ６００に移行先会員特定情報６４０を有しないように構成してもよい。かかる場合には、会員Ｂが加算指示データ６００が記憶される携帯電話機ｂをかざし操作すると、リーダライタ７５を介して加算指示データ６００及び携帯電話機ｂのＩＤｍを取得し、取得した加算指示データ６００及び携帯電話機ｂのＩＤｍを含む貯玉移行依頼を貯玉管理部１５ｂに送信する。これにより、会員Ｂが携帯電話機ｂに記憶される加算指示データ６００を異なる会員（例えば、会員Ｃ）に譲り渡すと、会員Ａから会員Ｃへ貯玉の移行が可能となり、現金と同様に複数人に跨って貯玉の授受が可能となる。
【００９５】
次に、図６に示した携帯電話機ａにより生成される減算指示データのデータ構造について具体的に説明する。図１０は、図６に示した携帯電話機ａにより生成される減算指示データの一例を示す図である。同図に示すように、この減算指示データ７００は、データ判別コード７１０と、移行貯玉数７２０と、移行元会員特定情報７３０と、移行先会員特定情報７４０と、指示データＩＤ７５０とから構成される。
【００９６】
データ判別コード７１０は、本データが減算指示データ７００であることを表すコードであり、上述したデータ判別コード６１０と同様に、会員管理Ｔ／Ｃ１０が、加算指示データ６００又は減算指示データ７００の別を判断する際に用いられる。なお、図１０の例では、データ判別コード７１０が「２」の場合に減算指示データ７００を表す。
【００９７】
移行貯玉数７２０は、移行する貯玉数を示すデータであり、上述した移行貯玉数６２０と同様に、移行貯玉数入力画面５００の入力枠５２０に入力した移行貯玉数である。移行元会員特定情報７３０は、貯玉を譲り渡す会員の会員特定情報を表すデータであり、本実施例２では、会員Ａが有する携帯電話機ａのＩＤｍとなる。なお、上述した加算指示データ６００内の移行元会員特定情報６３０は暗号化したが、移行元会員特定情報７３０は暗号化しなくてもよい。減算指示データ７００は携帯電話機ａに記憶され、会員Ａにより携帯電話機ａのＩＤｍを視認されても問題とならないからである。
【００９８】
移行先会員特定情報７４０は、貯玉を譲り受ける会員の会員特定情報を表すデータであり、本実施例２では、会員Ａが移行貯玉数入力画面５００の入力枠５１０に入力した会員Ｂの会員ＩＤとなる。
【００９９】
指示データＩＤ７５０は、会員管理Ｔ／Ｃ１０が貯玉移行処理の重複処理を防止する際に使用するデータである。なお、図１０の例では、図９に示した指示データＩＤ６５０と同様に、指示データＩＤ７５０を「ＡＢＣ」とした場合を示している。ここで、貯玉移行処理の重複処理を防止する機能について説明すると、例えば、会員Ｂにより携帯電話機ｂのかざし操作をされて貯玉移行処理が正常に完了すると、会員管理Ｔ／Ｃ１０は、加算指示データ６００内の指示データＩＤ６５０である「ＡＢＣ」を記憶しておく。その後、会員Ａにより携帯電話機ａのかざし操作をされた場合、減算指示データ７００内の指示データＩＤ７５０が、記憶済みの指示データＩＤ「ＡＢＣ」と同一であるため、貯玉移行処理済みと判断して貯玉移行処理を行わないことになる。
【０１００】
なお、本実施例２では、減算指示データ７００に移行元会員特定情報７３０を有する場合を示したが、本発明はこれに限定されるものではなく、減算指示データ７００に移行元会員特定情報７３０を有しないように構成してもよい。かかる場合には、会員Ａにより携帯電話機ａのかざし操作がされると、リーダライタ７５を介して減算指示データ７００及び携帯電話機ａのＩＤｍを取得し、取得した減算指示データ７００及び携帯電話機ａのＩＤｍを含む貯玉移行依頼を貯玉管理部１５ｂに送信する。これにより、会員Ａが保持する減算指示データ７００を異なる会員（例えば、会員Ｄ）に譲り渡すと、会員Ｄから会員Ｂへ貯玉の移行が可能となり、現金と同様に複数人に跨って貯玉の授受が可能となる。
【０１０１】
次に、図６に示した会員管理Ｔ／Ｃ１０及び会員カード処理機７０の構成について説明する。図１１は、図６に示した会員管理Ｔ／Ｃ１０及び会員カード処理機７０の構成を示す機能ブロック図である。ここでは、図３に示した構成部位と同様の機能を有する部位には同一符号を付すこととしてその詳細な説明を省略する。同図に示すように、携帯電話機９０は、暗号化処理部９１と、ＩＣチップ９２とを有する。暗号化処理部９１は、公開鍵暗号又は慣用暗号系等の暗号化ロジックによりデータを暗号化する処理部であり、具体的には、加算指示データ６００内の移行元会員特定情報６３０（携帯電話機ａのＩＤｍ）を暗号化する。なお、この暗号化処理部９１が採用する暗号化ロジックは、公開鍵暗号系又は慣用暗号系等のいかなるものであってもよいが、後述する復号化処理部１６ｂの復号化ロジックに対応するものでなければならない。
【０１０２】
ＩＣチップ９２は、記憶部９３を有し、この記憶部９３は不揮発性メモリなどの記憶デバイスであり、具体的には、会員Ａ及Ｂにより携帯電話機を用いて貯玉移行操作がされると、加算指示データ６００又は減算指示データ７００が記憶される。
【０１０３】
会員カード処理機７０は、制御部７７が図３に示した制御部７６と異なる。これは、貯玉処理部７７ａが有する貯玉移行依頼部７７ｂが図３に示した制御部７６と異なるためである。具体的には、この貯玉移行依頼部７７ｂは、貯玉移行元の会員Ａ又は貯玉移行先の会員Ｂのいずれか一方によりかざし部７８に携帯電話機９０がかざし操作されると、加算指示データ６００又は減算指示データ７００を含む貯玉移行依頼を会員管理Ｔ／Ｃ１０に送信する。
【０１０４】
会員管理Ｔ／Ｃ１０は、制御部１６が図３に示した制御部１５と異なる。これは、貯玉管理部１６ａが有する復号化処理部１６ｂ及び貯玉移行処理部１６ｃが図３に示した制御部１５と異なるためである。この復号化処理部１６ｂは、公開鍵暗号又は慣用暗号系等の復号化ロジックによりデータを復号化する処理部であり、例えば、貯玉移行依頼部７７ｂから加算指示データ６００を受け付けた場合に、暗号化された移行元会員特定情報６３０（携帯電話機ａのＩＤｍ）を復号化する処理部である。なお、上述したように、該復号化ロジックは、携帯電話機９０が有する暗号化処理部９１の暗号化ロジックに対応するものでなければならない。
【０１０５】
貯玉移行処理部１６ｃは、本発明の特徴をなす処理部であり、会員カード処理機７０からの貯玉移行依頼に応答して、異なる会員の貯玉口座間の貯玉移行処理を行う処理部である。例えば、会員カード処理機７０から加算指示データ６００を受け付けた場合には、データ判別コード６１０を読み取り、加算指示データ６００であることを判別し、復号化処理部１６ｂにより復号化された移行元会員特定情報６３０（携帯電話機ａのＩＤｍ）に対応する会員管理テーブル１４ａの貯玉数から移行貯玉数６２０を減算するとともに、移行先会員特定情報６４０（会員Ｂの会員ＩＤ）に対応する会員管理テーブル１４ａの貯玉数に移行貯玉数６２０を加算する。また、会員カード処理機７０から減算指示データ７００を受け付けた場合には、データ判別コード７１０を読み取り、減算指示データ７００であることを判別し、移行元会員特定情報７３０（携帯電話機ａのＩＤｍ）に対応する会員管理テーブル１４ａの貯玉数から移行貯玉数７２０を減算するとともに、移行先会員特定情報７４０（会員Ｂの会員ＩＤ）に対応する会員管理テーブル１４ａの貯玉数に移行貯玉数７２０を加算する。
【０１０６】
次に、図１１に示した会員管理Ｔ／Ｃ１０及び会員カード処理機７０による貯玉移行処理について説明する。図１２は、本実施例２に係る貯玉移行先の会員Ｂが携帯電話機ｂをかざし操作した場合の貯玉移行処理に関する会員管理Ｔ／Ｃ１０及び会員カード処理機７０間の制御シーケンスを示す図である。同図に示すように、会員Ｂにより携帯電話機ｂが会員カード処理機７０にかざし操作されると（ステップＳ８０１肯定）、会員カード処理機７０は、リーダライタ７５を介して携帯電話機ｂに記憶される加算指示データ６００を取得する（ステップＳ８０２）。その後、会員カード処理機７０の貯玉移行依頼部７７ｂは、加算指示データ６００を貯玉管理部１６ａに送信する（ステップＳ８０３）。
【０１０７】
この加算指示データ６００を受信した会員管理Ｔ／Ｃ１０の貯玉管理部１６ａは、復号化処理部１６ｂにより加算指示データ６００内の暗号化された移行元会員特定情報６３０を復号化させる（ステップＳ８０４）。その後、貯玉管理部１６ａは、貯玉移行処理が既に処理済であるか否かを判別する（ステップＳ８０５）。上述したように、この判別処理は、加算指示データ６００内の指示データＩＤ６５０を用いて行う。
【０１０８】
貯玉移行処理が処理済である場合には（ステップＳ８０５否定）、会員カード処理機７０にエラー通知する（ステップＳ８０６）。これに対して、貯玉移行処理が未処理である場合には（ステップＳ８０５肯定）、移行貯玉数６２０が会員Ａの貯玉残高を超えないか判別する（ステップＳ８０７）。具体的には、復号化された移行元会員特定情報６３０（携帯電話機ａのＩＤｍ）に対応する会員管理テーブル１４ａの貯玉数を取得し、取得した貯玉数と移行貯玉数６２０とを比較する。
【０１０９】
移行貯玉数６２０が会員Ａの貯玉数を超える場合には（ステップＳ８０７否定）、貯玉管理部１６ａは、会員カード処理機７０にエラー通知する（ステップＳ８０８）。それに対して、移行貯玉数６２０が会員Ａの貯玉数を超えない場合には（ステップＳ８０７肯定）、復号化された移行元会員特定情報６３０（携帯電話機ａのＩＤｍ）に対応する会員管理テーブル１４ａの貯玉数から移行貯玉数６２０を減算するとともに、移行先会員特定情報６４０（会員Ｂの会員ＩＤ）に対応する会員管理テーブル１４ａの貯玉数に移行貯玉数６２０を加算し（ステップＳ８０９）、貯玉移行結果を会員カード処理機７０に送信する（ステップＳ８１０）。
【０１１０】
その後、会員カード処理機７０は、エラー通知があったか否かを判別する（ステップＳ８１１）。エラー通知がない場合には（ステップＳ８１１肯定）、表示部７３に「１０００玉の貯玉移行処理完了」等の正常終了画面を表示する（ステップＳ８１２）。これに対して、エラー通知があった場合には、表示部７３に「貯玉移行処理エラー」等の異常終了
画面を表示する（ステップＳ８１３）。
【０１１１】
次に、貯玉移行元の会員Ａが遊技店に設置された会員カード処理機に携帯電話機ａをかざし操作した場合について説明する。図１３は、本実施例２に係る貯玉移行元の会員Ａが携帯電話機ａをかざし操作した場合の貯玉移行処理に関する会員管理Ｔ／Ｃ１０及び会員カード処理機７０間の制御シーケンスを示す図である。同図に示すように、会員Ａにより携帯電話機ａが会員カード処理機７０にかざし操作されると（ステップＳ９０１肯定）、会員カード処理機７０は、リーダライタ７５を介して携帯電話機ａに記憶される減算指示データ７００を取得する（ステップＳ９０２）。その後、会員カード処理機７０の貯玉移行依頼部７７ｂは、減算指示データ７００を貯玉管理部１６ａに送信する（ステップＳ９０３）。
【０１１２】
この減算指示データ７００を受信した会員管理Ｔ／Ｃ１０の貯玉管理部１６ａは、貯玉移行処理が既に処理済であるか否かを判別する（ステップＳ９０４）。上述したように、この判別処理は、減算指示データ７００内の指示データＩＤ７５０を用いて行う。
【０１１３】
貯玉移行処理が処理済である場合には（ステップＳ９０４否定）、会員カード処理機７０にエラー内容を通知する（ステップＳ９０５）。これに対して、貯玉移行処理が未処理である場合には（ステップＳ９０４肯定）、移行貯玉数７２０が会員Ａの貯玉残高を超えないか判別する（ステップＳ９０６）。具体的には、移行元会員特定情報７３０（携帯電話機ａのＩＤｍ）に対応する会員管理テーブル１４ａの貯玉数を取得し、取得した貯玉数と移行貯玉数７２０とを比較する。
【０１１４】
移行貯玉数７２０が会員Ａの貯玉残高を超える場合には（ステップＳ９０６否定）、貯玉管理部１６ａは、会員カード処理機７０にエラー通知する（ステップＳ９０７）。それに対して、移行貯玉数７２０が会員Ａの貯玉残高を超えない場合には（ステップＳ９０６肯定）、移行元会員特定情報７３０（携帯電話機ａのＩＤｍ）に対応する会員管理テーブル１４ａの貯玉数から移行貯玉数７２０を減算するとともに、移行先会員特定情報７４０（会員Ｂの会員ＩＤ）に対応する会員管理テーブル１４ａの貯玉数に移行貯玉数７２０を加算し（ステップＳ９０８）、貯玉移行結果を会員カード処理機７０に送信する（ステップＳ９０９）。
【０１１５】
その後、会員カード処理機７０は、エラー通知があったか否かを判別する（ステップＳ９１０）。エラー通知がない場合には（ステップＳ９１０肯定）、表示部７３に正常終了画面を表示する（ステップＳ９１１）。これに対して、エラー通知があった場合には（ステップＳ９１０否定）、表示部７３に異常終了画面を表示する（ステップＳ９１２）。
【０１１６】
上述してきたように、本実施例２では、会員Ａ及びＢにより携帯電話機ａ及びｂを用いた貯玉移行操作が行われた後、会員Ｂにより遊技店に設置される会員カード処理機７０に携帯電話機ｂをかざし操作されたならば、貯玉移行依頼部７７ｂは会員管理Ｔ／Ｃ１０に加算指示データ６００を含む貯玉移行依頼を送信し、該貯玉移行依頼を受け付けた貯玉移行処理部１６ｃは、移行元会員特定情報６３０に対応する会員管理テーブル１４ａの貯玉数から移行貯玉数６２０を減算するとともに、移行先会員特定情報６４０に対応する会員管理テーブル１４ａの貯玉数に移行貯玉数６２０を加算するように構成したので、遊技店以外の場所でも貯玉の移行操作をすることができる。
【０１１７】
なお、上記実施例２では、各会員の貯玉を会員管理Ｔ／Ｃ１０上で管理し、貯玉移行元の会員Ａ又は貯玉移行先の会員Ｂのいずれか一方が遊技店にて携帯電話機のかざし操作をすると貯玉移行処理を行う場合を示したが、本発明はこれに限定されるものではなく、貯玉を各会員が所持する携帯電話機内の記憶部にて管理し、貯玉移行アプリにより貯玉移行
操作を行った時点で貯玉移行処理を完了するように構成してもよい。
【０１１８】
また、上記実施例２では、携帯電話機間の貯玉移行操作をアドホック通信により行う場合を示したが、本発明はこれに限定されるものではなく、携帯電話機同士がアクセスポイントを介してデータを授受するインフラストラクチャモード方式の通信を用いて貯玉移行操作を行うように構成してもよい。
【０１１９】
また、上記実施例１及び２では、各会員について自由に貯玉移行処理を行う場合を示したが、本発明はこれに限定されるものではなく、例えば、本会員（会員の個人情報を用いて遊技店に会員登録された会員）及び仮会員（会員の簡易情報を用いて遊技店に仮登録された会員）等の会員種別を用いて会員管理する場合には、会員種別毎に貯玉移行処理権限を設定可能とし、該権限を有しない会員種別に対しては貯玉移行処理できないように構成してもよい。かかる場合には、会員種別と貯玉移行処理権限と対応付けて管理する移行権限管理テーブルを会員管理Ｔ／Ｃ１０の記憶部に格納し、貯玉移行依頼を受け付けた会員管理Ｔ／Ｃ１０は、該移行権限管理テーブルを参照して貯玉移行処理権限を有する会員種別の場合には貯玉移行処理を行う。例えば、本会員のみに貯玉移行処理権限が設定された場合、会員管理Ｔ／Ｃ１０は、本会員同士の場合には貯玉移行処理を行うが、仮会員同士又は本会員と仮会員間の場合には貯玉移行処理を行わない。
【０１２０】
また、上記実施例１及び２では、会員Ａ又はＢに指定された移行貯玉数を会員Ａの貯玉口座から会員Ｂの貯玉口座に移行する場合を示したが、本発明はこれに限定されるものではなく、貯玉移行処理にかかる手数料を徴収するように構成してもよい。例えば、会員Ａから会員Ｂへ１０００玉の貯玉移行を行う際に、会員Ａの貯玉口座から１１００玉を減算し、会員Ｂの貯玉口座に１０００玉を加算する。あるいは、会員Ａの貯玉口座から１０００玉を減算して、会員Ｂの貯玉口座に９００玉を加算する。
【０１２１】
また、上記実施例２では、携帯電話機ａ又はｂに加算指示データ６００又は減算指示データ７００が記憶される期間を制限しない場合を示したが、本発明はこれに限定されるものではなく、加算指示データ６００又は減算指示データ７００が携帯電話機ａ又はｂに記憶される期間を制限するように構成してもよい。例えば、携帯電話機ａ又はｂに加算指示データ６００又は減算指示データ７００が記憶されてから所定の日数（例えば、７日間）が経過すると、携帯電話機ａ又はｂが加算指示データ６００又は減算指示データ７００を自動的に削除する。
【産業上の利用可能性】
【０１２２】
以上のように、本発明にかかる貯遊技媒体管理システムは、遊技店に登録された会員に付与された会員識別情報に対応付けて該会員の貯遊技媒体数を管理する貯玉サービスを提供する場合に有用であり、特に、貯遊技媒体を現金等の他の有価価値と同様に取り扱い、もって会員に対して利便性の高い貯遊技媒体サービスを提供する場合に適している。
【図面の簡単な説明】
【０１２３】
【図１】本実施例１に係る貯玉管理システムの概念を説明するための説明図である。
【図２】本実施例１に係る貯玉管理システムのシステム構成を示す構成図である。
【図３】図２に示した会員管理Ｔ／Ｃ及び会員カード処理機の構成を示す機能ブロック図である。
【図４】本実施例１による貯玉移行処理前の会員管理テーブルと貯玉移行処理後の会員管理テーブルの一例を示した説明図である。
【図５】本実施例１に係る貯玉移行処理に関する会員管理Ｔ／Ｃ及び会員カード処理機間の制御シーケンスを示す図である。
【図６】本実施例２に係る貯玉管理システムの概念を説明するための説明図である。
【図７】図６に示した貯玉移行処理に関する携帯電話機間の制御シーケンスを示す図である。
【図８】図６に示した携帯電話機が表示制御する移行貯玉数入力画面の一例を示す図である。
【図９】図６に示した携帯電話機により生成される加算指示データの一例を示す図である。
【図１０】図６に示した携帯電話機により生成される減算指示データの一例を示す図である。
【図１１】図６に示した会員管理Ｔ／Ｃ及び会員カード処理機の構成を示す機能ブロック図である。
【図１２】本実施例２に係る貯玉移行先の会員が携帯電話機をかざし操作した場合の貯玉移行処理に関する会員管理Ｔ／Ｃ及び会員カード処理機間の制御シーケンスを示す図である。
【図１３】本実施例２に係る貯玉移行元の会員が携帯電話機をかざし操作した場合の貯玉移行処理に関する会員管理Ｔ／Ｃ及び会員カード処理機間の制御シーケンスを示す図である。
【符号の説明】
【０１２４】
１０  会員管理Ｔ／Ｃ
１１  Ｉ／Ｆ部
１２  表示部
１３  入力部
１４  記憶部
１４ａ  会員管理テーブル
１５  制御部
１５ａ  会員登録処理部
１５ｂ  貯玉管理部
１５ｃ  貯玉移行処理部
１６  制御部
１６ａ  貯玉管理部
１６ｂ  復号化処理部
１６ｃ  貯玉移行処理部
２０  島コントローラ
３０  台間ユニット
４０  パチンコ機
５０  計数機
６０  景品管理装置
７０  会員カード処理機
７１  Ｉ／Ｆ部
７２  カードリーダ
７３  表示部
７４  入力部
７５  リーダライタ
７６  制御部
７６ａ  カード処理部
７６ｂ  貯玉処理部
７６ｃ  貯玉移行依頼部
７７  制御部
７７ａ  貯玉処理部
７７ｂ  貯玉移行依頼部
７８  かざし部
８０  携帯電話機
８１  ＩＣチップ
９０  携帯電話機
９１  暗号化処理部
９２  ＩＣチップ
９３  記憶部
５００  移行貯玉数入力画面
５１０  貯玉移行先会員の会員ＩＤ入力枠
５２０  移行対象となる貯玉数入力枠
５３０  確定ボタン
６００  加算指示データ
６１０  データ判別コード
６２０  移行貯玉数
６３０  移行元会員特定情報
６４０  移行先会員特定情報
６５０  指示データＩＤ
７００  減算指示データ
７１０  データ判別コード
７２０  移行貯玉数
７３０  移行元会員特定情報
７４０  移行先会員特定情報
７５０  指示データＩＤ
【図１】
2008302143.tif 000003
【図２】
2008302143.tif 000004
【図３】
2008302143.tif 000005
【図４】
2008302143.tif 000006
【図５】
2008302143.tif 000007
【図６】
2008302143.tif 000008
【図７】
2008302143.tif 000009
【図８】
2008302143.tif 000010
【図９】
2008302143.tif 000011
【図１０】
2008302143.tif 000012
【図１１】
2008302143.tif 000013
【図１２】
2008302143.tif 000014
【図１３】
2008302143.tif 000015